(57)【要約】  整列状態で配置されたボトル(B)を包装するためのカートンはキール構造体を有し、このキール構造体はボトルの列の間に配置される。キール構造体はカートンの主パネル内に形成されると共に、二つの相補的部分(54,56;154,156)を互いに係合させることによってボトルの列の間にキール構造体が形成されるよう二つの相補的部分(54,56;154,156)を有する掛止機構を具備してなり、これによって各列内に含まれるボトルの内部移動が抑止されるようになっている。
2009511362.tif 000002
【特許請求の範囲】
【請求項１】
整列状態で配置された複数の類似の物品、たとえばボトルを包装するためのカートンであって、
前記カートンは、複数の主パネルを有すると共に、前記列内に含まれた前記ボトルの移動を抑止するためのキール構造体を具備してなり、
前記キール構造体は、前記主パネルの一つに形成されかつ前記列同士の間に配置されており、
前記キール構造体は、第１の側面パネル、上面パネル、第２の側面パネルおよび掛止機構を含む、あるものが隣のものに対して折り曲げ可能に連結された一続きの主パネルを具備してなり、
前記掛止機構は二つの相補的部分を具備してなり、一方の部分は前記第１の側面パネルによって提供されると共に前記一つの主パネルに対して折り曲げ可能に連結され、他方の部分は前記第２の側面パネルによって提供され、
前記第１および第２の部分は、それらが前記第１および第２の側面パネルを互いに固定するよう相互係合し、これによって、前記第１および第２の側面パネルのそれぞれが前記キール構造体に対して前記ボトルによって加えられる力の水平および垂直成分の両方を伝達しかつ／または吸収するように配置された剛体状のキール構造体が前記ボトルの列の間に形成され、かつ、これによって各列内に含まれた前記ボトルの内部移動が抑止されるようになっていることを特徴とするカートン。
【請求項２】
前記キール構造体は断面が実質的に三角形であることを特徴とする請求項１に記載のカートン。
【請求項３】
前記キール構造体の前記第１および第２のパネルは、それぞれボトルの一部と係合するための開口部をさらに具備してなり、これによって前記ボトルの垂直方向の移動を抑制するようになっていることを特徴とする請求項１または請求項２に記載のカートン。
【請求項４】
前記主パネルに対して折り曲げ可能に連結された前記掛止機構の一部分はタブであり、かつ前記掛止機構の他方の部分は前記タブを受けるための開口部であることを特徴とする請求項１ないし請求項３のいずれか１項に記載のカートン。
【請求項５】
前記開口部は変位可能なタブによって形成され、この変位可能なタブは前記開口部内での前記主パネルタブの掛止を容易なものとするようになっていることを特徴とする請求項４に記載のカートン。
【請求項６】
前記主パネルタブは、逆「Ｖ」字形をなすように屈曲していることを特徴とする請求項４または請求項５に記載のカートン。
【請求項７】
前記第１および第２の係合可能要素の係合をさらに容易なものとするために、前記変位可能なタブは凹部を具備してなると共に前記屈曲タブは前記凹部内に嵌め込み可能となっていることを特徴とする請求項４に記載のカートン。
【請求項８】
前記開口部は二つの変位可能なタブによって形成され、かつ前記主パネルタブは、係合および掛止ポジションにて前記主パネルタブを保持するために、前記二つの変位可能なタブ間に挟み込まれるようになっていることを特徴とする請求項５ないし請求項７のいずれか１項に記載のカートン。
【請求項９】
前記変位可能なタブの第２のものは相補的突出部を具備してなり、前記突出部と凹部とは、両者間での前記主パネルタブの掛止をさらに容易なものとするために協働可能となっていることを特徴とする請求項８に記載のカートン。
【請求項１０】
前記主パネルは底面パネルであって、カートンは、一対の側壁パネルおよび上面壁パネルをさらに具備してなり、かつ前記キール構造体の前記上面パネルはカートンの前記上面壁パネルに対して固定されることを特徴とする請求項１ないし請求項９のいずれか１項に記載のカートン。
【請求項１１】
前記底面パネルは、それぞれボトルを受けるための、その一部を打ち抜いて得た、一連の開口部を有することを特徴とする請求項１０に記載のカートン。
【請求項１２】
整列状態で配置された複数の類似の物品、たとえばボトルを包装すると共に、各列に含まれる前記ボトルの移動を抑止するためのキール構造体を有するカートンを形成するためのブランクであって、
前記ブランクは主パネルを具備してなり、前記主パネルは、前記キール構造体を形成するために、あるものが隣のものに対して一続きに折り曲げ可能に連結された、第１の側面パネルと、上面パネルと、第２の側面パネルと、を具備してなり、前記キール構造体はさらに掛止機構を具備してなり、前記掛止機構は二つの相補的部分を具備してなり、一方の部分は前記第１の側面パネルによって提供されると共に前記主パネルに対して折り曲げ可能に連結されており、他方の部分は前記第２の側面パネルによって提供され、
前記カートンの組み立て時、前記第２の部分と係合する前記第１の部分は前記第１および第２の側面パネルを互いに掛止し、これによって、前記第１および第２の側面パネルのそれぞれが、前記キール構造体に対して前記ボトルによって加えられる力の水平および垂直成分の両方を伝達しかつ／または吸収するように配置された剛体状のキール構造体が、組み上がったカートン内の前記ボトルの列の間に形成され、かつ、これによって、各列に含まれる前記ボトルの内部移動が抑止されるようになっていることを特徴とするブランク。
【請求項１３】
組み立てられたカートンの前記キール構造体は、実質的に、断面が三角形であることを特徴とする請求項１２に記載のブランク。
【請求項１４】
前記キール構造体の前記第１および第２のパネルはさらに、それぞれボトルの一部と係合するための開口部を具備してなり、これによって、組み立てられたカートン内での前記ボトルの垂直方向の移動を抑止するようになっていることを特徴とする請求項１２または請求項１３に記載のブランク。
【請求項１５】
前記主パネルに対して折り曲げ可能に連結された前記掛止機構の一部はタブであり、かつ前記掛止機構の他方の部分は前記タブを受けるための開口部であることを特徴とする請求項１２ないし請求項１４のいずれか１項に記載のブランク。
【請求項１６】
前記主パネルは底面パネルであり、ブランクはさらに一対の側壁パネルおよび上面壁パネルを具備してなり、かつ前記キール構造体の前記上面パネルは、組み立てられたカートンにおける前記上面壁パネルに対して固定されることを特徴とする請求項１２ないし請求項１５のいずれか１項に記載のブランク。
【請求項１７】
前記底面パネルは、それぞれボトルを受けるための、その一部を打ち抜いて得た、一連の開口部を有することを特徴とする請求項１２ないし請求項１６のいずれか１項に記載のブランク。
【請求項１８】
整列状態で配置された類似の物品、たとえばボトルを包装するためのカートンであって、
前記カートンは、上面壁パネルと第１の側壁パネルと底面パネルと第２の側壁パネルとを含みかつキール構造体を具備してなる筒状構造体を形成するために、あるものが隣のものに対して一続きに折り曲げ可能に連結された複数の主パネルを有し、
前記キール構造体は、前記底面パネル内に形成されると共に、前記ボトルの列の間に配置されており、
前記キール構造体は、第１の側面パネルと、上面パネルと、第２の側面パネルと、掛止機構と、を具備してなり、
前記掛止機構は二つの相補的部分を具備してなり、一方の部分は前記第１の側面パネルから打ち抜き形成されると共に前記底面パネルに対して折り曲げ可能に連結されており、他方の部分は前記第２の側面パネルから打ち抜き形成され、
前記第２の部分と係合する前記第１の部分は、前記第１および第２の側面パネルを互いに掛止し、これによって前記ボトルの列の間に剛体状のキール構造体が形成されると共に、これによって各列内に含まれる前記ボトルの内部移動が抑止されるようになっていることを特徴とするカートン。
【請求項１９】
前記キール構造体の前記上面パネルはカートンの前記上面壁パネルに対して固定されており、これによってカートンに剛性が付与されるようになっていることを特徴とする請求項１８に記載のカートン。
【請求項２０】
前記キール構造体の前記第１および第２の側壁ならびにカートンの前記第１および第２の側壁パネルはそれぞれボトルの一部を受けるための開口部を具備してなり、これによって各ボトルの垂直方向の移動が抑止されるようになっていることを特徴とする請求項１８または請求項１９に記載のカートン。
【請求項２１】
第１および第２の対向するパネルの対を具備してなる物品携行器であって、前記第１および第２の対向するパネルの対は、第１および第２のウイングパネルの対から起立しており、前記第１および第２のウイングパネルは前記第１および第２の起立パネルの下端部からそれぞれ互いに離間するよう延在しており、雄型タブが前記第１の起立パネルから形成されてなると共に前記第１のウイングパネルに対して接合されており、雌型タブが、前記雄型タブを受ける掛止開口部を形成するために前記第２の起立パネルから形成されており、前記雌型タブは、前記掛止開口部内での雄型タブの掛止状態を維持するために、前記第２の起立パネルに対して折り曲げ可能に連結されていることを特徴とする物品携行器。
【請求項２２】
前記ウイングパネルのそれぞれは物品受け開口部を具備してなることを特徴とする請求項２１に記載の物品携行器。
【請求項２３】
整列状態で配置された、たとえばボトルのような類似の物品を包装するためのカートンを形成する方法であって、
前記カートンは平坦なブランクから形成され、前記ブランクは、上面壁パネルと、第１の側壁パネルと、それぞれ物品を受けるための開口部を備えた底面パネルと、第２の側壁パネルと、を含む筒状構造体を形成するために、あるものが隣のものに対して一続きに折り曲げ可能に連結された複数の主パネルを有しており、前記カートンはキール構造体を具備してなり、前記キール構造体は前記底面パネル内に形成されると共に前記ボトルの列の間に配置され、前記キール構造体は、第１の側面パネルと、上面パネルと、第２の側面パネルと、掛止機構と、を具備してなり、前記掛止機構は二つの相補的部分を具備してなり、一方の部分は前記第１の側面パネルから打ち抜き形成されると共に前記底面パネルに対して連結されており、他方の部分は前記第２の側面パネルから打ち抜き形成されており、
前記方法は、
(i)前記ブランクの前記底面パネルに形成された前記開口部内にボトルの列を装填するステップと、
(ii)前記ボトルの上端に向かって前記底面パネルを立て起こすステップと、
(iii)前記キール構造体の前記第１および第２の側面パネルが前記底面パネルの面から変位するように、前記列同士を相手列方向に移動させるステップと、
(iv)前記第１の部分を前記掛止機構の前記第２の部分と係合させ、これによって前記ボトルの列の間に前記キール構造体を形成すると共に、これによって各列に含まれる前記ボトルの内部移動を抑止するステップと、
を具備することを特徴とする方法。
【請求項２４】
二つのパネルを互いに掛止するためのパネル相互掛止構造体であって、この相互掛止構造体は二つの相補的係合可能要素を具備してなり、第１の係合可能要素は前記パネルに対して連結された二つの対向配置された変位可能なタブによって形成された開口部を具備してなり、第２の係合可能要素は前記パネルの他方に対して連結された単一のタブを具備してなり、前記第２の要素の前記タブは、前記二つの変位可能なタブ間で、前記第１の係合可能要素の前記開口部に挿入可能であって、かつ前記二つのパネルを互いに掛止するために両者間で係合可能となっていることを特徴とするパネル相互掛止構造体。
【請求項２５】
前記変位可能なタブの第１のものは半径方向突出部を具備してなると共に、前記変位可能なタブの第２のものは相補的半径方向凹部を具備してなり、前記突出部と前記凹部とは、前記第１の係合可能要素の前記変位可能なタブ間での前記第２の係合可能要素の係合をさらに容易なものとするために協働可能となっていることを特徴とする請求項２４に記載のパネル相互掛止構造体。
【請求項２６】
前記第２の要素の前記タブは逆「Ｖ」字形状をなすよう屈曲させられており、前記第１および第２の係合可能要素の係合をさらに容易なものとするために、前記変位可能なタブの半径方向凹部および突出部間に嵌め込み可能となっていることを特徴とする請求項２５に記載のパネル相互掛止構造体。
【発明の詳細な説明】
【技術分野】
【０００１】
本発明は、たとえばボトルのような複数の類似の物品を包装するためのカートンに関する。さらに詳しく言うと、本発明は、ボトルの上端部に対して取り付けられる上端部把持型(top gripping type)カートンに関する。
【背景技術】
【０００２】
物品を受けるための開口部を具備してなる上端部把持型物品携行器が提供されているのは周知である。開口部はたいていサンバースト開口部であり、これは、この開口部からボトルが移動するのを阻止するべく、ボトル上端部あるいはクラウンコルクの下面と係合する周方向に配置された一続きのタブを有する。そうした開口部に関する問題はタブがボトルと係合する場所であり、これはカートンを不安定なものとすることがあり、しかもタブはカートン内のボトルの不安定な特性によって強度が低下することがある。したがって、カートン内でのボトルの移動を制限する上端部把持型カートンの使用が望ましい。また、たとえばヨーグルト容器などの孔が開きやすい蓋を有する物品の蓋を上面パネルが保護するようなカートンを使用することが多くの場合に好ましい。
【０００３】
この種のカートンは公知であり、たとえば特許文献１(Foushee)には、二つの列に含まれる物品を保持すると共に分離させるのに好適なキール構造を有するカートンが開示されている。こうしたカートンに関連する問題は、一つの列の物品の上端部が他の列の物品の上端部に向って傾くことがあるというものである。これは運搬を困難なものとし、そしてこれはカートンの欠点である。この問題は、物品高のかなりの比率のサイドパネルを付加することによってある程度は解消されるが、これは不経済な付加的材料を必要とする。したがって、丈夫でしかも堅固な、そしてその中で保持された物品を支持する上端部把持型カートンを提供することが望まれている。また、カートン内で保持された物品の移動を制限すると共に、組み立てが容易でありかつ最小限の材料しか必要としない物品携行器を提供することが望まれている。
【特許文献１】米国特許第5,984,086号明細書
【発明の開示】
【発明が解決しようとする課題】
【０００４】
本発明の目的は、従来技術の上記およびその他の問題を防止するか、あるいは少なくともそれを軽減することである。ボトルの移動を制限すると同時に、離間配置状態で上面および底面パネルを維持するために位置決めサポートが設けられる。
【課題を解決するための手段】
【０００５】
本発明の一態様は、整列状態で配置された複数の類似の物品、たとえばボトルを包装するためのカートンを提供するが、当該カートンは、複数の主パネルを有すると共に、列内に含まれたボトルの動きを抑止するためのキール構造体を具備してなる。キール構造体は主パネルの一つに形成されかつ列同士の間に配置されている。キール構造体は、第１の側面パネル、上面パネル、第２の側面パネルおよび掛止機構を含む、あるものが隣のものに対して折り曲げ可能に連結された一続きの主パネルを具備してなる。掛止機構は二つの相補的部分を具備してなり、一方の部分は第１の側面パネルによって提供されると共に一方の主パネルに対して折り曲げ可能に連結され、他方の部分は第２の側面パネルによって提供される。第１および第２の部分は、それらが第１および第２の側面パネルを一つに固定するよう相互係合し、これによって、第１および第２の側面パネルのそれぞれがキール構造体に対して物品によって加えられる力の水平および垂直成分の両方を伝達しかつ／または吸収するよう配置されるように剛体状のキール構造体が物品の列の間に形成され、これによって各列に含まれる物品の内部移動が抑止されるようになっていることを特徴とする。
【０００６】
好ましくは、上記キール構造体は断面が実質的に三角形であり、しかも好ましくはこのキール構造体の第１および第２のパネルはさらに、それぞれボトルの一部分と係合するための開口部を具備し、これによってボトルの垂直移動を抑止するようになっている。
【０００７】
さらに、上記主パネルに対して折り曲げ可能に連結された掛止機構の一部分はタブとすることができ、しかも掛止機構の他方の部分は、このタブを受けるための開口部とすることができる。
【０００８】
好ましくは、上記主パネルは底面パネルであり、そしてカートンはさらに一対の側壁パネルおよび上面壁パネルを具備してなることができ、そしてこの場合、キール構造体の上面パネルはカートンの上面壁パネルに対して固定される。
【０００９】
好ましくは、上記開口部は変位可能なタブによって形成され、この変位可能なタブは、上記開口部内での上記主パネルタブの掛止(ロック)を容易なものとする。
【００１０】
あるいは、主パネルタブは、逆「Ｖ」字形状をなすよう屈曲させられる。
【００１１】
任意選択で、変位可能なタブは凹部を具備してなり、しかも屈曲タブはこの凹部内に嵌め込み可能であり、これによって第１および第２の係合可能要素の係合がさらに容易なものとなる。
【００１２】
さらに、開口部は二つの変位可能なタブによって形成され、かつ主パネルはこれら二つの変位可能なタブ同士の間に挟み込まれ、これによって主パネルタブは係合ならびに掛止(ロック)状態で維持される。
【００１３】
好ましくは、上記変位可能なタブのうち第２のものは、相補的突出部を具備してなり、この突出部および凹部は協働可能であり、これによって両者間での主パネルタブの掛止(ロック)がさらに容易なものとなる。
【００１４】
第２の態様によれば、本発明は、整列状態で配置された複数の類似の物品、たとえばボトルを包装すると共に各列に含まれるボトルの移動を抑止するためのキール構造体を有するカートンを形成するためのブランクを提供する。当該ブランクは主パネルを具備してなり、この主パネルは、キール構造体を形成するために、あるものが隣のものに対して一続きに折り曲げ可能に連結された、第１の側面パネルと、上面パネルと、第２の側面パネルとを具備してなる。キール構造体はさらに掛止機構を具備してなり、この掛止機構は二つの相補的部分を具備してなり、一方の部分は第１の側面パネルによって提供されると共に主パネルに対して折り曲げ可能に連結されており、他方の部分は第２の側面パネルによって提供されるが、カートンの組み立て時、第２の部分と係合する第１の部分は第１および第２の側面パネルを互いに掛止し、これによって、第１および第２の側面パネルのそれぞれが、キール構造体に対して物品によって加えられる力の水平および垂直成分の両方を伝達しかつ／または吸収するよう配置された剛体状のキール構造体が、組み上がったカートン内の物品の列の間に形成され、かつ、これによって、各列に含まれる物品の内部移動が抑止されるようになっている。
【００１５】
好ましくは、組み上がったカートンのキール構造体は実質的に断面が三角形であり、そしてさらに一層好ましくは、このキール構造体の第１および第２のパネルはさらに、それぞれボトルの一部と係合するための開口部を具備してなり、これによって組み上がったカートン内でのボトルの垂直移動が抑止される。
【００１６】
加えて、上記主パネルに対して折り曲げ可能に連結された掛止機構の一部分はタブであってもよく、そして掛止機構の他方の部分は、このタブを受けるための開口部であってもよい。
【００１７】
任意選択で、上記主パネルは底面パネルとなり、本ブランクはさらに一対の側壁パネルおよび上面壁パネルを具備し、そしてこの場合、キール構造体の上面パネルは、組み上がったカートンの上面壁パネルに対して取り付けられる。
【００１８】
好ましくは、底面パネルは、それぞれボトルを受けるための、そこから打ち抜き形成された一連の開口部を有する。
【００１９】
第３の態様によれば、本発明は、整列状態で配置された類似の物品、たとえばボトルを包装するためのカートンを提供するが、当該カートンは、上面壁パネルと第１の側壁パネルと底面パネルと第２の側壁パネルとを含みかつキール構造体を具備してなる筒状構造体を形成するために、あるものが隣のものに対して一続きに折り曲げ可能に連結された複数の主パネルを有し、キール構造体は、底面パネル内に形成されると共に、ボトルの列の間に配置されており、キール構造体は、第１の側面パネルと、上面パネルと、第２の側面パネルと、掛止機構とを具備してなり、掛止機構は二つの相補的部分を具備してなり、一方の部分は第１の側面パネルから打ち抜き形成されると共に底面パネルに対して折り曲げ可能に連結されており、他方の部分は第２の側面パネルから打ち抜き形成されており、第２の部分と係合する第１の部分は第１および第２の側面パネルを互いに掛止し、これによってボトルの列の間に剛体状のキール構造体が形成されると共に、これによって各列内に含まれるボトルの内部移動が抑止されるようになっている。
【００２０】
好ましくは、キール構造体の上面パネルはカートンの上面壁パネルに対して取り付けられ、これによってカートンに剛性が付与される。
【００２１】
任意選択で、キール構造体の第１および第２の側壁ならびカートンの第１および第２の側壁パネルはそれぞれ、ボトルの一部を受けるための開口部を具備してなり、これによって各ボトルの垂直移動が抑止される。
【００２２】
第４の態様によれば本発明は、第１および第２の対向するパネルの対を具備してなる物品携行器を提供するが、第１および第２の対向するパネルの対は第１および第２のウイングパネルの対から起立しており、第１および第２のウイングパネルは第１および第２の起立パネルの下端部からそれぞれ互いに離間するよう延在しており、雄型タブが第１の起立パネルから形成されてなると共に第１のウイングパネルに対して接合されており、雌型タブが、雄型タブを受ける掛止開口部を形成するために第２の起立パネルから形成されており、雌型タブは、掛止開口部内での雄型タブの掛止状態を維持するために、第２の起立パネルに対して折り曲げ可能に連結されている。
【００２３】
好ましくは、ウイングパネルのそれぞれは物品受け開口部を具備してなる。
【００２４】
第５の態様によれば本発明は、整列状態で配置された、たとえばボトルのような類似の物品を包装するためのカートンを形成する方法を提供するが、カートンは平坦なブランクから形成され、ブランクは、上面壁パネルと、第１の側壁パネルと、それぞれ物品を受けるための開口部を備えた底面パネルと、第２の側壁パネルとを含む筒状構造体を形成するために、あるものが隣のものに対して一続きに折り曲げ可能に連結された複数の主パネルを有しており、カートンはキール構造体を具備してなり、キール構造体は底面パネル内に形成されると共にボトルの列の間に配置されており、キール構造体は、第１の側面パネルと、上面パネルと、第２の側面パネルと、掛止機構とを具備してなり、掛止機構は二つの相補的部分を具備してなり、一方の部分は第１の側面パネルの一部から打ち抜き形成されると共に底面パネルに対して折り曲げ可能に連結されており、他方の部分は第２の側面パネルから打ち抜き形成されており、上記方法は、
(i)ブランクの底面パネルに形成された開口部内にボトルの列を装填するステップと、
(ii)ボトルの上端に向かって底面パネルを立て起こすステップと、
(iii)キール構造体の第１および第２の側面パネルが底面パネルの面から変位するように上記列同士を相手列方向に移動させるステップと、
(iv)第１の部分を掛止機構の第２の部分と係合させ、これによってボトルの列の間にキール構造体を形成すると共に、これによって各列に含まれるボトルの内部移動を抑止するステップとを具備する。
【発明を実施するための最良の形態】
【００２５】
以下、添付図面を参照して、本発明の二つの代表的な実施形態について実例としてのみ説明する。
【００２６】
図１ないし図５には本発明の第１実施形態を示す。これらの図を通じて、同一の参照数字は、本発明の同一のあるいは同じ特徴部を指し示すのに用いている。図６および図７は第２実施形態を示しており、同じ参照数字はこの第２実施形態の同じ部分を指し示すのに用いているが、二つの実施形態を区別するために、参照数字には、さらに「１００」を付加している。
【００２７】
図１には、それから図５のカートン１０が形成されるブランク１２を示す。ブランク１２は、図１から分かるように垂直方向に長尺であり、かつこの実施形態では板紙から形成されている。だがブランク１２は、たとえばプラスチックシートなどの、その他の折り曲げ可能な材料から形成できる。本発明を理解する助けとして図２〜図５には、２×３列に配置されたボトル「Ｂ」を示す。
【００２８】
図１を参照すると、ブランク１２は、カートン壁を形成するための一続きの主パネル、すなわち第１の上面パネル６０と、第１の側面パネル６２と、第１の底面パネル６４と、第１の中間パネル６６と、接着パネル６８と、第２の中間パネル７０と、第２の底面パネル７２と、第２の側面パネル７４と、第２の上面壁パネル７６とを具備してなる。これら主パネルは、断続する折り曲げ線８２,８４,８６,８８,９０,９２および９４に沿って、あるものが隣のものに対して一続きに折り曲げ可能に連結されている。
【００２９】
第１および第２の底面パネル６４,７２のそれぞれは、三つの物品受け開口部５０を備えるが、これはそれぞれボトル「Ｂ」を受け入れる形状となっている。本発明のカートン１０は、特に、底部よりも上端部の寸法が大きな形状となったボトル「Ｂ」と共に使用するためのものである。それゆえ各開口部５０は、ボトル「Ｂ」の底部を受け入れかつボトル「Ｂ」のフランジ状上端部の下面と係合するようなサイズとなっている。これは図２に示すとおりである。
【００３０】
第１および第２の側面パネル６２,７４ならびに第１および第２の中間パネル６６,７０は、それぞれボトル「Ｂ」のフランジ状上端部の一部を受けるための、一連の成形開口部５２をそれぞれ備える。さらに第１および第２の中間パネル６６,７０は、相補的掛止すなわち固定機構を備えるが、これは、この実施形態では、少なくとも一つの雄型タブ５４を備え、このタブ５４は、適当に形成された雌型開口部５６内に納まるよう構成されている。この実施形態では、雄型タブ５４は、部分的に第２の中間パネル７０から、そして部分的に第２の底面パネル７２から打ち抜き形成されており、この結果、各雄型タブ５４の係合部は所定形状の切断線によって形成され、かつ各雄型タブ５４は第２の底面パネル７２に対して折り曲げ可能に連結されたままとなっている。同様に、相補的雌型開口部５６は所定形状のタブ５６から形成されるが、このタブ５６は第１の中間パネル６６から打ち抜き形成され、かつ折り曲げ線あるいは低強度線５７に沿って第１の中間パネル６６に対して折り曲げ可能に連結されている。所定形状のタブ５６は第１の中間パネル６６の面から変位可能であり、これによって開口部が第１の中間パネルに形成されるようになっており、この中には雄型タブ５４を挿入できる。雄型タブ５４および雌型開口部５６は、雄型タブが雌型開口部５６と相互係合可能でありかつ雌型開口部５６内に掛止(固定)可能であるような形状となっている。
【００３１】
図６のブランク１１２および図７の半完成カートンによって示される第２実施形態では、相補的掛止機構は異なる形態を有する。雄型タブ１５４は、その中央に配置された低強度線１４３を中心として屈曲させることができるような形状となっている。雄型タブ１５４は、屈曲した折り曲げ線１５８および１５９を介して第２の底面パネル１７２に対して折り曲げ可能に連結された状態となっている。さらに、雌型開口部１４６が、第１の相補的形状のタブ１５６を変位させることによって部分的に形成されるが、このタブ１５６は、第１の中間パネル１６６の面から変位可能でありかつ折り曲げ線１５７に沿ってパネル１６６に対して折り曲げ可能に連結された状態となっている。第２の実施形態では、第１のタブ１５６は半円線１４５によって形成された半径方向凹部を具備してなるが、これは屈曲した雄型タブ１５４上に位置させられ、雄型タブ１５４を開口部１４６内で保持する。図６に示す第２実施形態では雌型開口部１４６は単一の変位可能なタブ１５４によって形成されるが、第２の変位可能なタブ１４６を設けることも考えられ、これはやはり第１の中間パネル１６６から打ち抜き形成されるが、折り曲げ線１８２に沿ってカートンに対して折り曲げ可能に連結された状態となっている。このさらなる例では、二つの変位可能なタブ１５６および１４６は協働で雄型タブ１５４を掛止(固定)状態にて保持する。
【００３２】
第１および第２実施形態の掛止機構について、本発明の上端部把持クリップ１０内に形成されたキール構造体の構造を参照して、さらに詳しく説明する。本発明のキール構造体および掛止機構について、上端部把持クリップ型のカートンに関連付けて説明するが、先の説明から、上記キール構造体および掛止機構はそれぞれ他のタイプのカートンにおいても用途を有することは当業者には明白であろうし、本発明は、一つの用途に係る実例としてのみ扱った、本明細書で説明したカートンにその適用が限定されるものと解釈すべきではない。
【００３３】
第１実施形態のカートン１０の組み立てに目を移すと、一連の折り曲げおよび接着工程が必要となるが、これは好ましくは直線型装置において実施でき、これによって、組み立てを成し遂げるために、カートン１０および／またはブランク１２を回転させたりあるいは裏返したりする必要がなくなる。折り曲げ工程は以下で説明するそれに限定されるものではなく、特定の製造要件に従って変更可能である。
【００３４】
ブランク１２からカートン１０を形成するためには、３個ずつ２列に配置された６個のボトル「Ｂ」をそれぞれ、第１および第２の底面パネル６４,７２に形成されたボトル受け開口部５０と整列状態で配置する。続いては、図２に示すように、ブランク１２を実質的に垂直に持ち上げる。続いてはボトルの二つの列を互いに接近させると共にブランク１２を折り曲げ線８８および８６を中心として折り曲げる。これによって、第１および第２の中間パネル６６,７０を、第１および第２の底面パネル６４,７２の面から回動させ、そして互いに近接させる。接着パネル６８すなわちキール構造体上面パネル６８は、第１および第２の中間パネル６６,７０が折り曲げ線８６および８８によって画定される縁部において互いに当接(この状態では接着パネル６８がボトル「Ｂ」の上端部と平面接触するようその上に載る)するまで、底面パネル６４,７０の面から上方に変位させる。第１および第２の中間パネル６６,７０を一緒に移動させるとき、雄型タブ５４は対応する形状のタブ５６と係合し、しかも雄型タブ５４が雌型開口部５６内に収容され、これによって第１および第２の中間パネル６６,７０が互いに掛止されるように第１の中間パネルの面から所定形状のタブを変位させるのに利用可能である。このようにして、接着パネル６８と、第１の中間パネル６６と、第２の中間パネル７０とは、図３に示すように三角形断面のキール構造体を形成する。
【００３５】
中間パネル６６,７０のそれぞれに設けられた所定形状の開口部５２はそれぞれボトル「Ｂ」の一部分と係合し、かつこの一部分がキール構造体の三角形空隙内に突出することを可能とする。これによって、接着パネル６８がボトル「Ｂ」の上面に載ることが可能となる。接着パネル６８は、カートンの上面パネルと開口部５２の下側縁部との間に、(キール構造体に隣接してカートン１０内に収容されたボトルの)フランジ状縁部を挟み込むよう第１の上面パネル６０に対して固定できる。このようにして、第１および第２の中間パネル６６,７０のそれぞれに設けられた所定形状の開口部５２はまた、完成したカートン１０内でボトル「Ｂ」の移動を拘束しかつ制限するのに役立つ。
【００３６】
ボトル「Ｂ」の周りでカートン１０の組み立てを成し遂げるために、図４に示すように、第１および第２の側面パネル６２,７４は折り曲げ線８２および９２を中心として、それぞれ上側に９０°折り曲げる。第１および第２の側面パネル６２,７４の開口部５２はそれぞれボトル「Ｂ」のフランジ状部分の上側および下側縁部と係合する。続いては、第２の上面パネル７６を折り曲げ線９４を中心として折り曲げて、隣接する各ボトルの上側縁部と平面接触状態となるようにする。続いては、第２の上面パネル７６および接着パネル６８の外面に対して接着剤を塗布する。最後に、上面パネル６０を折り曲げ線８０を中心として折り曲げ、そして第２の上面パネル７６および接着パネル６８と平面接触状態となるようにする。こうすることで、第１の上面パネル６０が第２の上面パネル７６および接着パネル６８に対して固定され、これによってカートン１０の組み立てが完了となる(その状態を図５に示す)。
【００３７】
こうして得られたカートン１０は６個のボトルからなる列を確実に包装(保持)し、しかもカートン１０内でのボトルの動きを抑止できる。ボトル上端部の内側への動きはキール構造体によって阻止でき、かつ外側への動きは、相補的掛止機構ならびに第１および第２の側面パネル６２,７４の両方によって阻止できる。底側装填式カートン１０は、ボトル「Ｂ」からなる列用の安定した丈夫な携行器を提供できるが、これは直線型装置において、ボトルの周りで簡単に組み立てることができる。折り曲げ線８２,８４,８６,８８,９０,９２および９４に予め切り込みを入れておくことによって、カートン１０の組み立てが容易なものとなる。
【００３８】
キール構造体(これは、主として、第１の側面パネル６６,１６６、すなわち第１の中間パネル６６,１６６と、第２の側面パネル７０,１７０、すなわち第２の中間パネル７０,１７０と、上面パネル６８,１６８、すなわち接着パネル６８,１６８とを具備してなる)は、雄型タブ５４,１５４および雌型開口部(雌型開口部は変位可能なタブ５６,１５６によってもたらされる)からなる一つ以上の対によって実現された相補的相互係合可能な掛止機構によって、カートン１０内で一つに保持される。
【００３９】
第２実施形態では、雄型タブ１５４は中央折り曲げ線１４３を中心として屈曲しており、この結果、雄型タブ１５４の頂点すなわち上端は、タブ１５６に形成された実質的に半円形の凹部すなわち溝１４５内で固定される。さらにタブ１４６を設けることができ、しかもタブ１４６が設けられる場合、それはタブ１５６の半径方向(半円形)凹部と類似の形状の半径方向(半円形)突出部を有することができ、これによって、屈曲させられた雄型タブ１５４は、この雄型タブの上面上に載るタブ１４５と、キール構造体の第１の側面パネル１６６の面からカートンの底面パネル１６４,１７２に対して起立したポジションへと変位可能なタブ１４６との間にて掛止(ロック)された係合ポジションで保持される。開口部１４６内で雄型タブ１５４を確実に掛止するためには、第２の変位可能なタブは不要であるが、本発明のさらなる例では、折り曲げ線１８４に沿って第１の底面パネル１６４に対して折り曲げ可能に連結された第２の変位可能なタブ１４６によって、相補的掛止機構の雌型要素内での雄型タブ１５４の係合をさらに助けることが可能であることは明白である。
【００４０】
そうした掛止機構の配置および構成によれば、雄型タブ１５４を二つのタブ１５６および１４６に対して押し付け、これによってそれを開口部１４６内に納める際に、二つのタブ１５６および１４６を第１の中間パネル１６６の面から外に変位させることによって、雌型開口部が得られる。雄型タブ１５４は雌型開口部を通って元に戻ることはできない。なぜなら、それから掛止タブ１５６,１４６が形成されている材料の自然な弾力性によって、掛止タブ１５６および１４６は、その本来のポジションに向って、すなわち第１の中間パネル１６６の面に向って後戻りし、これによって雌型開口部が部分的に再閉塞されるからである。このようにして開口部から雄型タブ１５４が外れるのが抑止される。第２の実施形態では第２の変位可能なタブ１４６は設けられていないが、第１の変位可能なタブ１５６のみの自然な弾力性は、雌型開口部１４６を部分的に再閉塞しかつそこからの雄型タブ１５４の離脱を抑止するのに十分なものである。
【００４１】
第２実施形態およびさらに予見される例のいずれに関しても、折り曲げ線１４３は、雄型タブ１５６を「ヘ」字形または「Ｖ」字形に屈曲させるために設けられている。雄型タブ１５６は、第１の変位可能なタブの半径方向(半円形)凹部１４５内に嵌まり込む。第２の変位可能なタブ１５６が設けられる場合、タブ１４６の半径方向(半円形)突出部はまず雄型タブ１５６の下方に、そして「Ｖ」字形の雄型タブの中に設けられる。三つのタブ１４６,１５４および１４５が互いに嵌め込まれたことで、雄型タブ１５４は(その本来のポジションに向って後戻りする方向に動く場合には)他の二つのタブ１４６および１５６を引っ張るが、これによって第１の中間パネルに形成された開口部が閉塞され、これによって雄型タブがそれ以上後戻りしないように拘束され、この結果、中間パネルすなわちキール構造体の第１および第２の側面パネルが起立状態で維持される。さらに、タブ１４６が設けられない場合、第１の変位可能なタブおよび雄型タブ１５６は、類似の掛止(ロック)作用を得るのに十分なほど、ひとまとまりに配置される。
【００４２】
請求項に記載された本発明の範囲から逸脱することなく上記のものを変更可能であることは当業者には明白であろう。たとえばカートンのサイズは、代替形態に含まれ得る、より多くのあるいはより少ない物品を収容するのに適したものとすることができる。開口部のサイズおよび形状は、別な形状の物品を収容するために変更でき、かつ携行器は、底面壁パネルに開口部が形成されていない巻き付け(wraparound)型カートンとして構成可能である。携行器はまた、上面パネルに形成されたハンド開口部のような運搬手段を備えるよう構成されてもよく、あるいは実際、上面パネルの一つから上方に延在するハンドルパネルを具備することができる。さらに、カートンは一つのキール構造体を有するものに限定されることはなく、たとえばボトルが３×３列で配置される場合には、一つ以上のさらなるキール構造体および掛止機構を採用することができる。本発明の他の実施形態においては、本発明の範囲から逸脱することなく、キール構造体が三角形以外の断面を有していてもよいことも明らかである。掛止機構の雄型および雌型部分の配置構成はまた、本発明の他の実施形態においては変更可能であり、しかも各中間パネルが相補的掛止機構の各部分の一つを含み、他の中間パネルがそれと整列させられる相互部分を有していてもよいことは明白である。
【００４３】
本明細書で説明した掛止機構およびキール構造体は他のタイプのカートンにも応用でき、しかも掛止キール構造体および／または掛止機構は上端部把持型のカートンにその用途を限定されないことは明らかである。
【００４４】
本明細書で用いているように、向きに関する言及、たとえば「上面」、「底面」、「端部」、「側面」、「上側」および「下側」は、個々のパネルをそうした向きに限定するものではなく、単にこれらのパネルを互いに区別する役割を果たしているに過ぎないこともまた理解されたい。
【００４５】
折り曲げ可能なすなわち折り込み可能な連結部に対する言及は、単一の折り曲げ線のみを必然的に意味するものと解釈すべきでないことも理解されたい。実際、折り曲げ可能な連結部(ヒンジ式連結部)を、本発明の範囲から逸脱することなく、ミシン目、破断可能線あるいは折り曲げ線のうちの一つ以上から形成できることは明らかである。
【００４６】
以下は本発明の説明である。
【００４７】
整列状態で配置された物品を包装(保持)するためのカートンであって、このカートンは、隣接する物品の列間に配置された中空キール構造体を具備してなり、このキール構造体は、あるものが隣接するものに対して折り曲げ可能に連結された一続きの主パネルならびに相補的掛止機構を具備してなり、相補的掛止機構は二つの係合可能要素(上記主パネルの一つに対して連結された第１の係合可能要素、上記主パネルの他方に対して連結された第２の係合可能要素)を具備してなり、一続きの主パネルと相補的掛止機構とは、中空キール構造体を組み立てられた形態で維持するための上記一方の主パネルの上記他方の主パネルに対する掛止(ロック)を容易なものとするべく、第１の要素が第２の要素と係合可能であるように構成され、キール構造体の剛性は、キール構造体がカートン内に含まれる物品の列の相対的移動を制限するべく機能できるように、相補的掛止機構によって向上させられる。
【００４８】
好ましくは、上記一方の主パネルと上記他方の主パネルとはそれぞれ開口部を具備してなり、各開口部は、物品の列の相対的移動をさらに抑制するために、隣接する列に含まれる物品の一部を収容する。
【００４９】
さらに一層好ましくは、第１の係合可能要素は変位可能なタブによって形成された開口部を具備してなり、第２の係合可能要素は、第１の係合可能要素内に挿入可能であってかつ上記変位可能なタブによってその内部で掛止(ロック)可能なタブを具備してなる。
【００５０】
好ましくは、第２の要素のタブは、逆「Ｖ」字形状をなすよう屈曲させられている。
【００５１】
任意選択で、変位可能なタブは、第１および第２の係合可能要素の係合をさらに容易なものとするために第２の要素のタブが半径方向凹部内に嵌め込み可能であるよう、窪みを具備してなることができる。
【００５２】
任意選択で、第１の係合可能要素は、その間に第２の係合可能要素のタブを挟み込むように配置された二つの変位可能なタブを具備してなることができ、これによって二つの係合可能要素が互いに掛止される。
【００５３】
これに代えて、上記変位可能なタブの第２のものは相補的な半径方向凹部を具備してなり、突出部と凹部とは、両者間での第２の係合可能要素のタブの掛止をさらに容易なものとするよう協働可能である。
【００５４】
好ましくは、第２の要素のタブは逆「Ｖ」字形状をなすよう屈曲させられるが、これは、第１および第２の係合可能要素の係合をさらに容易なものとするために、半径方向凹部と突出部との間に嵌め込み可能である。
【００５５】
好ましくは、キール構造体は断面が三角形であり、そしてさらに一層好ましくは、キール構造体のさらなる主パネルが、キール構造体の剛性をさらに高めるためカートンに対して固定される。
【図面の簡単な説明】
【００５６】
【図１】ボトルを包装するためのカートンを形成するためのブランクの平面図である。
【図２】カートンの組み立て準備に当って一群のボトルの周りに配された、図１のブランクの斜視図である。
【図２Ａ】本実施形態のカートン内に形成された半ば完成状態にあるキール構造体の斜視図であり、二つの相補的掛止要素の相互係合状態を示している。
【図３】図１のブランクからのカートンの組み立てに関する一段階を示す正面、側面および上面側からの斜視図である。
【図４】図１のブランクからのカートンの組み立てに関する第２の段階を示す正面、側面および上面側からの斜視図である。
【図５】図１のブランクから形成されたカートンの正面、側面および上面側からの斜視図である。
【図６】本発明の第２実施形態による、ボトルを包装するためのカートンを形成するためのブランクの平面図である。
【図７】第２実施形態のカートン内に形成された半ば完成状態にあるキール構造体の斜視図であり、二つの相補的掛止要素の相互係合状態を示している。
【符号の説明】
【００５７】
Ｂ  ボトル
１０  カートン
１２  ブランク
５０  物品受け開口部
５４  雄型タブ
５６  雌型開口部(タブ)
５７  折り曲げ線(低強度線)
６０  第１の上面パネル
６２  第１の側面パネル
６４  第１の底面パネル
６６  第１の中間パネル
６８  接着パネル(キール構造体上面パネル)
７０  第２の中間パネル
７２  第２の底面パネル
７４  第２の側面パネル
７６  第２の上面壁パネル
８２〜９４  折り曲げ線
１１２  ブランク
１４３  折り曲げ線(低強度線)
１４５  溝(凹部)
１４６  タブ(雌型開口部)
１５４  雄型タブ
１５６  第１の相補的形状のタブ
１５７〜１５９  折り曲げ線
１６４  底面パネル
１６６  第１の中間パネル
１６８  接着パネル
１７０  第２の中間パネル
１７２  第２の底面パネル
１８２,１８４  折り曲げ線
【図１】
2009511362.tif 000003
【図２】
2009511362.tif 000004
【図２Ａ】
2009511362.tif 000005
【図３】
2009511362.tif 000006
【図４】
2009511362.tif 000007
【図５】
2009511362.tif 000008
【図６】
2009511362.tif 000009
【図７】
2009511362.tif 000010
【国際調査報告】
2009511362.tif 000011
2009511362.tif 000012
2009511362.tif 000013
2009511362.tif 000014